(57)【要約】  地表面整合設置形式と地上設置形式との間で台座集成体を変換するように構成されたグレード・レベル・エンクロージャ変換集成体。台座ハウジングのベースはプラグを含み、プラグは、エンクロージャの揺動アームに取り外し可能に装着されている。揺動アームは、サービス接続のためにワイヤを含め、地表面整合設置形式の場合には台座集成体を定置の格納位置に保持する。地上台座設置形式へ変換するように、カバープレート蓋が取り外され、台座集成体は、起立位置へ揺動アーム上で回転させられ、それは、揺動アームから取り外すことができ、別個のカバープレート蓋に設けられたアクセス開口に通すことができる。前記台座ハウジングのプラグは、地上位置に台座集成体を保持するため、アクセス開口内に位置決めされる。一連の光ファイバのスプライス接続又は他の地下ユーティリティサービス接続が、格納位置と地上位置の間で台座を回転させる時になされうる。【選択図】図３
2016504633.tif 000002
【特許請求の範囲】
【請求項１】
地表面整合設置形式と地上設置形式との間で台座集成体を変換するように構成されたグレード・レベル・エンクロージャ変換集成体において、
該台座集成体が台座ハウジングと、該台座ハウジングに固定されたベースとを含み、グレード・レベル・ボックス内に包含された回転可能な揺動アームに取り外し可能に装着されており、該揺動アームは地表面整合設置形式の場合には台座集成体を定置の格納位置に保持し、該台座集成体は、起立位置へ該揺動アームを回転させることにより地上台座設置形式へ変換するように構成されており、該起立位置から、該台座集成体を該揺動アームから取り外して別個のカバープレート蓋に設けられたアクセス開口に通すことができ、前記台座ハウジングのベースはプラグを含んでおり、該プラグは、該カバープレート蓋が該グレード・レベル・ボックスの上側に位置決めされたときに地上位置に該台座集成体を保持するために、該カバープレート蓋の該アクセス開口内に取り外し可能に位置決めされるように構成されている、グレード・レベル・エンクロージャ変換集成体。
【請求項２】
前記カバープレート蓋が分割カバープレートの一部、又は前記グレード・レベル・ボックスの上部を閉鎖するソリッドな一体蓋を含む、請求項１に記載のグレード・レベル・エンクロージャ変換集成体。
【請求項３】
前記カバープレート蓋が自由端部に取り外し可能なセグメント部分を有している、請求項１に記載のグレード・レベル・エンクロージャ変換集成体。
【請求項４】
地上設置形式と地下設置形式との間で電気的接続を変換するように構成された地下ユーティリティエンクロージャにおいて、
該地下ユーティリティエンクロージャが、
グレード・レベル・エンクロージャと、
該グレード・レベル・エンクロージャ内の台座集成体と、を含み、該台座集成体が、
（ａ）  台座ハウジングと、
（ｂ）  該台座ハウジングのベース部分に堅く固定されたプラグと、
（ｃ）  地下から該台座ハウジング内へ通じる地下導管と、を含み、
前記地下ユーティリティエンクロージャがさらに、
該グレード・レベル・エンクロージャの内側に一方の端部で堅く固定された揺動アーム集成体を含み、該揺動アーム集成体は、該グレード・レベル・エンクロージャ内の定置の格納位置に該台座集成体を保持し、前記電気的接続を形成するために該台座ハウジングの内部へのアクセスを可能にするように、該台座集成体が該揺動アーム集成体のヒンジ付き揺動アーム部分上で直立地上位置へ回転可能であり、該台座集成体は、揺動アームから取り外し可能であり、カバープレート蓋上の地上位置に該台座集成体を保持するために、カバープレート蓋のアクセス開口内に該揺動アーム上のプラグを取り外し可能に位置決めするように構成されており、該カバープレート蓋は該グレード・レベル・エンクロージャの少なくとも一部を閉鎖するように構成されている、地下ユーティリティエンクロージャ。
【請求項５】
前記地下導管が、該台座ハウジングの内部のスプライス接続のために構成された光ファイバ導管を含む、請求項４に記載の地下ユーティリティエンクロージャ。
【請求項６】
前記カバープレート蓋が分割カバープレートの一部、又は前記グレード・レベル・エンクロージャの上部を閉鎖するソリッドな一体蓋を含む、請求項４に記載の地下ユーティリティエンクロージャ。
【請求項７】
前記カバープレート蓋が自由端部に取り外し可能なセグメント部分を有している、請求項４に記載の地下ユーティリティエンクロージャ。
【請求項８】
前記プラグがカラーに堅く固定されており、該カラーが、該カラーを通って前記台座ハウジングの内部へ入る導管のためのシール部材を含んでいる、請求項４に記載の地下ユーティリティエンクロージャ。
【請求項９】
前記揺動アームが前記台座集成体のプラグ部分に取り外し可能に取り付けられている、請求項４に記載の地下ユーティリティエンクロージャ。
【請求項１０】
前記プラグがカラーに固定されており、該カラーが該地下導管のためのシール部材を含んでおり、前記台座ハウジングのベースが該カラーに固定されている、請求項９に記載の地下ユーティリティエンクロージャ。
【発明の詳細な説明】
【技術分野】
【０００１】
本発明は埋め込み型地下ユーティリティラインに関する。本発明の１つの用途は、光ファイバ通信ラインのためのスプライス接続を形成するためのものである。
【背景技術】
【０００２】
過去において、地下ユーティリティは永久的な地下設置形式であって、スプライス接続を有するシールされた台座ハウジングがグレード・レベル・エンクロージャ内に格納されているものによって特徴づけられた。或いは、地上台座は、例えば新しいサービスを追加するときに形成されるスプライス接続のためのアクセスを備えた永久的な設置形式によって特徴づけられた。
【先行技術文献】
【特許文献】
【０００３】
（原文に記載なし）
【発明の概要】
【０００４】
本発明は、台座ハウジング（pedestal housing）が地下の地表面整合設置形式（flush-to-grade installation）から地上台座設置形式（above-ground pedestal installation）へ、又はその逆に容易に変換されるのを可能にする。
【０００５】
地下電気ユーティリティ貯蔵箱・配線エンクロージャ・システムは、地表面整合設置形式と地上台座設置形式との間で変換するように構成されている。この変換は両方向で可能である。システムは、台座ハウジングを有するグレード・レベル・ボックス又は貯蔵箱を含む。台座ハウジングのベースは、グレード・レベル・ボックスのための蓋に設けられたアクセス開口へ解離可能に結合するように構成されたプラグを含んでいる。台座・プラグ集成体はグレード・レベル・ボックス内部の揺動アームに解離可能に取り付けられている。揺動アームはボックス内部で集成体を格納位置に保持する。グレード・レベル・ボックス内に包含された光ファイバ導管のような地下電気ケーブルは、台座ハウジング内部の接点に接続されている。台座集成体はその格納位置において、地表面整合設置形式の一部である。カバープレートはボックスのための蓋の少なくとも一部をその地表整合位置で提供する。
【０００６】
グレード・レベル・ボックスからカバープレートを取り外し、揺動アームによって担持されたヒンジ結合部を介して台座を地上に起立させることによって、台座集成体を地上設置形式へ変換することができる。台座集成体は、これを揺動アームから取り外してグレード・レベル・ボックスのための別個のカバープレート蓋に設けられたアクセス開口に通すことができる位置へ起立させられる。（１実施態様では、カバープレート蓋は、グレード・レベル・ボックスの開口を閉鎖する二部分分割カバープレートのプラグ開口部分であってよい。）プラグと接続ワイヤとを含む台座集成体は、カバープレート蓋のアクセス開口を通して、蓋の上方の位置へ引き上げられる。この位置から、プラグをアクセス開口内に設けることができる。これにより、台座ハウジングは地下ワイヤに接続された状態で、地上に位置決めされる。
【発明の効果】
【０００７】
上記設置形式は地表面整合設置形式に戻すことができる。この場合、プラグをカバープレート蓋から取り外し、前記一連の工程を逆に行い、これにより台座集成体を地表面整合設置形式における格納位置へ戻す。
【０００８】
本発明のこれらの特徴及びその他の特徴は、以下の詳細な説明及び添付の図面を参照することによってより充分に理解することができる。
【図面の簡単な説明】
【０００９】
【図１】図１は、台座ハウジング集成体をグレード・レベル・ボックス内の格納位置で、一部を破断して示す斜視図である。
【図２】図２は、台座ハウジング集成体を、揺動アーム集成体上に担持された状態で一部を破断して示す斜視図である。
【図３】図３は、揺動アーム上のエンクロージャを、起立させられた状態で一部を破断して示す斜視図である。
【図４】図４は、揺動アーム上の台座を、起立位置へ回転させられた状態で一部を破断して示す斜視図である。
【図５】図５は、台座を、揺動アームから取り外し、分割カバープレート蓋のアクセス開口に通された状態で一部を破断して示す斜視図である。
【図６】図６は、台座集成体を、集成体のベースが分割カバープレート蓋のアクセス開口に通るように傾倒させた状態で一部を破断して示す斜視図である。
【図７】図７は、台座集成体を、分割カバープレートのアクセス開口の上方に起立させられている状態で一部を破断して示す斜視図であり、この図には、分割カバープレートの第２部分がグレード・レベル・ボックスの上側を閉鎖するためのサイドバイサイド位置で示されている。
【図８】図８は、地上設置形式の台座集成体を、分割カバープレート上にある状態で一部を破断して示す斜視図である。
【図９】図９は、セグメント分割蓋を有する別の実施態様を、一部を破断して示す斜視図である。
【図１０】図１０は、揺動アーム・ブラケットを、台座集成体のベースに担持されたプラグにボルト結合された状態で示す拡大斜視図である。
【図１１】図１１は、揺動アーム・ブラケットを、プラグに締め付けられて台座集成体をその格納位置に支持する状態で示す拡大斜視図である。
【図１２】図１２は、揺動アーム・ブラケットを、台座集成体が揺動アームから取り外された状態で示す拡大斜視図である。
【図１３】図１３は、本発明の揺動アーム集成体の構成部分を示す分解斜視図である。
【図１４Ａ】図１４Ａは揺動アーム集成体の種々の運動を示す斜視図である。
【図１４Ｂ】図１４Ｂは揺動アーム集成体の種々の運動を示す斜視図である。
【図１４Ｃ】図１４Ｃは揺動アーム集成体の種々の運動を示す斜視図である。
【図１５】図１５は、台座集成体のベースに使用されるプラグ・カラー集成体の構成部分を示す分解斜視図である。
【図１６】図１６は、プラグ・カラー集成体のカラー構成部分の内部構造を示す底面斜視図である。
【図１７】図１７は、グレード・レベル・エンクロージャ変換集成体の構成部分を示す分解側面図である。
【発明を実施するための形態】
【００１０】
図１は、グレード・レベル・ボックス１０を含む地下ユーティリティエンクロージャを示している。グレード・レベル・ボックスは、種々の実施態様を有しており、典型的には、台座ハウジング１４内部に格納された電気的構成部分に取り付けられたワイヤ１２を受容するために、開いた底部を備えた地下埋め込み型グレード・レベル・ボックスである。台座ハウジングは、例えば顧客からのサービスラインに接続するために地上にもたらされるときに地下ユーティリティ接続を保護する。地下に配置されたグレード・レベル・ボックス自体は電気的接続部、例えばユーティリティケーブル又は導管、データ伝送ライン、サービスライン、光ファイバケーブル、及びその他の地下ユーティリティデバイスを含むことができる。１つの用途は、住宅用光ファイバサービス接続を提供するときに、スプライス接続のために光ファイバを有する光ファイバ管を含むことである。
【００１１】
図面は、成形支持格子構造を備えた鉛直方向の側壁を有する好ましいグレード・レベル・ボックスを示している。この成形支持格子構造は、台座ハウジングと、台座ハウジングを支持する上側プレートとの両方のためのＩビーム支持体を提供する。グレード・レベル・ボックス及び台座集成体との地下ワイヤ接続部は、Channell Commercial Corporationに譲渡されたBurke他の米国特許第７，３８５，１３７号明細書及び同第７，３８１，８８８号明細書に詳述されている。前記の明細書の内容は参照することにより全体的に本明細書中に援用される。
【００１２】
図１に示された台座ハウジング１４はそのベースでプラグ１８に取り外し可能に固定されたドーム形の台座カバー１６を含んでいる。プラグに関してはBurke他の‘１３７及び‘８８８特許に詳細に記載されている。１つの実施態様では、台座カバーのベースは、クランプ２２によってカラー２０に固定されている。カラーは、好ましくは接着によってプラグの大きい開口に堅く固定されている。しかしながら、プラグにカラーを固定する他の手段が使用されてもよい。カラーは、台座ハウジング内のスプライス接続又は他の同様の接続のためのスプライス・トレイ、又は他の同様の接点を支持する剛性の内部装着フレーム（図示せず）を支持することができる。
【００１３】
ワイヤ１２はグレード・レベル・ボックス内部から、プラグの開口及びカラーを通って、台座ハウジングの内部へ延びている。上述のように、ワイヤは構内へサービスを提供するために、スプライス結合を含むことができ、或いは接点を後でスプライシングするように構成されている。カラーは、ワイヤがカラーを通って台座ハウジング内部へ入るように、シール部材２５（図１０に示されている）を含んでいる。図１５〜１７はカラー２０・プラグ１８集成体のより詳細な構造を示している。
【００１４】
図１は、地表面整合設置形式を可能にするソリッドな上側プレート又は蓋２４を備えたグレード・レベル・ボックス内に格納された台座ハウジング１４を示している。蓋は図２に示されているように、グレード・レベル・ボックスの上側から取り外すことができる。蓋は取り外し可能なので、ハウジング（及びそのベースに取り付けられたプラグ）を地上位置に起立させることができ、すなわち地上台座設置形式に変換することができる。
【００１５】
図２に示されているように、台座ハウジングは揺動アーム集成体２６への取り付けを介して定置の地下格納位置に維持される。揺動アーム集成体の一方の端部はグレード・レベル・ボックスの内壁に堅く固定されている。揺動アーム集成体の反対側の端部は、下で詳述する構造を介して、台座ハウジング及びプラグ集成体に解離可能に取り付けられている。揺動アーム集成体２６はヒンジ付き構造を有している。ヒンジ付き構造は、台座ハウジング及びプラグ集成体が、集成体をその格納位置から地上位置へ起立させるために水平方向軸線を中心として一体のものとして回転させられるのを可能にする。
【００１６】
図３は、台座・プラグ集成体１４／１８を地上位置に起立させる際の第１工程を示している。台座ハウジング及びプラグ集成体は揺動アーム上に担持されており、揺動アームは地上位置に向かって起立させられ、揺動アーム集成体２６内に含まれるヒンジ付き構造の軸線を中心として台座・プラグ集成体を回転させるのが図示されている。
【００１７】
図４は、揺動アーム上の台座ハウジング及びプラグが起立位置へ回転させられていることを示している。台座・プラグ集成体１４／１８が地上位置へ回転するのに伴って、ワイヤ１２は台座の内部構造によって担持される。
【００１８】
図５は、台座ハウジング・プラグ集成体１４／１８がその揺動アーム集成体から取り外されていることを示している。台座ハウジング・プラグ集成体は、図５に示された分割カバープレート蓋２８内に位置決めされるように構成されている。分割カバープレート蓋は、前に参照した‘１３７及び‘８８８特許に記載された分割カバープレートの台座装着区分と類似の構造を有している。分割カバープレート蓋２８は、分割カバープレートの台座装着区分内に配置されたアクセス開口３０を有している。アクセス開口はまた、互いに対向する端部に切欠き領域３２を含む。これらの切欠き領域は、プラグ１８の互いに対向する端部から突出する対応締め付け区分３４の形状と合致するように形成されている。締め付け区分３４は例えば‘８８８及び‘１３７特許に示された曲げ可能なクリップを含むことができる。分割カバープレート蓋２８は図５に示されているように、台座ハウジングの上側に被せられるので、台座１４はプラグ１８の上方でアクセス開口３０を通って突出することができる。プラグ１８はプラグ開口の下方に残る。分割カバープレート蓋２８のエッジが、グレード・レベル・ボックスの上部のアクセス開口の協働リム３１上に載置するように位置決めされる。或いは、カバープレート蓋が図５に示された位置へ回転させられたときに、分割カバープレート蓋２８のフランジ付きエッジが、グレード・レベル・ボックスの上側エッジ３３上に載置することもできる。図示のように、台座ハウジング・プラグ集成体１４／１８が分割カバープレート蓋のアクセス開口に通されるのに伴って、ワイヤは台座ハウジングと一体のものとして引き上げられる。
【００１９】
図６は、プラグ１８を分割カバープレート蓋２８のアクセス開口３０に通すプロセスを示している。台座ハウジング１４は、そのベースに位置するプラグ１８をアクセス開口に通すように傾倒されている。
【００２０】
図７は、台座ハウジング・プラグ集成体が、分割カバープレート蓋のアクセス開口を通って起立させられていて、アクセス開口３０内に位置決めされる準備ができている状態を示している。この図はまた、グレード・レベル・ボックスの互いに対向する側に設けられたスロット開口内に位置決めされた剛性のチャネル形状支持バー３５を示している。支持バーは、分割カバープレート蓋２８の自由端部を含む、分割カバープレートの中央のための剛性支持体を提供する。
【００２１】
図８は、台座ハウジング・プラグ集成体１４／１８を、分割カバープレート上にその地上設置形式で位置する状態で示している。プラグ１８の互いに対向する端部に設けられた締め付け区分３４は、分割カバープレート蓋２８の開口３０に取り外し可能に締め付けられている。図８に示されているように、ワイヤ１２は台座ハウジング内部で接続部に取り付けられたままであり、これにより地下から地上台座集成体へ電気的な接続を提供する。台座ハウジングは、例えば地上の光ファイバ・スプライス接続を形成するために使用することができる。図８はまた、サイドバイサイド状に位置するカバープレート（２８，３６）から二部分蓋集成体（２８，３６）を提供するためのソリッドな分割カバープレート蓋３６を示している。或いは、例示された設置形式のための蓋は、図示のような異形成形プラグ開口を備えた一体型のカバープレートを含むこともできる。
【００２２】
台座集成体は、図１〜８に示された工程を逆転することによって、図１に示された格納位置へ戻すことができる。
【００２３】
このように、本発明は地表面整合設置形式から地上台座設置形式への変換を可能にするが、この設置形式は逆の方向に変換することもできる。１実施態様では、１つ又は２つ以上の光ファイバ・スプライス接続部は、地下に格納するときには台座内に存在することができる。更なるスプライス接続部を形成するときには、種々異なる時点でアクセスするために台座を地上に動かすことができる。
【００２４】
図９は、分割カバープレート蓋の別の実施態様を示している。すなわち分割カバープレート蓋はこの実施態様ではセグメント分割カバープレート蓋４０である。分割カバープレート蓋の自由端部は短い狭幅のブロック４２の形態を成すセグメント部分を含んでいる。このセグメント部分は、分割蓋の端部において滑り嵌めを形成する。ブロックは、ファスナ、又は蓋の端部にブロックを取り外し可能に固定するための他の手段を用いた実矧ぎ継ぎによって分割蓋の自由端部に取り外し可能に取り付けられる。この別の形態は、分割蓋４０の端部の開区分４４からブロック４２が取り外された状態で示されている。ブロックが取り外されているので、台座ハウジング・プラグ集成体１４／１８を、分割蓋のアクセス開口４５を通して引き上げることができ、この際に図６に示されているようにこの集成体を傾倒させる必要はない。ひとたびプラグ区分が分割蓋の上方に起立させられたら、ブロック４２を分割蓋の端部に再位置決めすることができる。この場合、ブロックに設けられた切欠き領域４６が、プラグの端部で突起領域３４と係合する。次いで、台座ハウジング及び関連集成体を、図８に示されたものと同様の地上台座設置形式で位置決めする。支持バー３５を貯蔵箱内に位置決めすることによって、図６〜８に示されたように、カバープレート蓋構成部分の自由端部を支持することができる。
【００２５】
図１０〜１４は、揺動アーム・ブラケット集成体２６のより詳細な構造、及びプラグ１８へのその取り付けを示している。ブラケット集成体は、グレード・レベル・ボックスの内壁に堅く固定された剛性の二部分装着ブラケット４８を含む。ブラケットはファスナ４９によって壁に固定される。ブラケット４８は、その自由端部５２がファスナ５３を介してプラグ１８にボルト結合された状態で、細長い揺動アーム５０の互いに対向する側を保持している。揺動アームの自由端部は、プラグの内側に固定されたチャネル形状のブラケット５４の内側に嵌合する。
【００２６】
揺動アーム５０は二成分集成体上に担持されている。二成分集成体は、方形のブロックとして成形されたベース５６と、ベースの底部に堅く固定されたＵ字形ストップ５８とを含んでいる。揺動アームの内側の長さはファスナ６０によってベースの上側に堅く固定されている。ストップ５８の後側エッジ６２はエンクロージャの内面と係合することによって、図１に示されているようなグレード・レベル・ボックス内に台座ハウジングを格納するために揺動アーム（及び台座ハウジング）を水平方向位置に保持する。
【００２７】
揺動アームの内端部は、ブラケット４８間のヒンジ結合部を通る水平方向軸線を中心として回転することにより、図３に示されているように台座ハウジング集成体及びプラグをその格納位置から離れる方向に起立させる。図５に示されているように揺動アームから台座ハウジング・プラグ集成体を取り外すために、ファスナ５３にアクセスすることができる。
【００２８】
ヒンジ集成体（図１３に最もよく示されている）は、ブラケット４８の互いに対向する内面に担持されたローラシャフト６４を含んでいる。ローラシャフトはベース５６に設けられた細長い開口６６を通って延びている。細長いピン６８がローラを通って延び、ファスナ７０がベース５６の互いに対向する側にブラケットを固定している。揺動アームはベース５６及びストップ５８と一緒に、堅く装着されたブラケット４８に対して回転し、シャフト６４を中心として自由に回転する。
【００２９】
図１４は、ローラ６４を通る水平方向軸線を中心として回転するときの揺動アームの一連の運動を示している。図１４Ａは揺動アームを、台座ハウジングを格納位置に保持するために固定的な水平位置にある状態で示している。図１４Ａの配向では、ストップ５８の後側エッジ６２はエンクロージャの内壁に係合している。図１４Ｂは揺動アームを、図１４Ｃに示された直立位置に向かう角度を通して回転した状態で示している。
【００３０】
図１５は、プラグ１８と、台座ハウジングのベースを形成するカラー２０との集成体を示している。プラグは底部リム７２を備えた大きい中心開口７０を含んでいる。カラーは狭幅の下側区分７４を有している。この下側区分は開口７０と整合し、この開口７０内に埋め込まれる。整合プロセスに際して、カラーベース７４及びプラグ１８の穴７６及び７８は、後でファスナ５３を介して揺動アーム５２に取り付けるために整合される。カラーは接着技術によって開口７０に堅く固定されることが好ましい。下側カラー区分７４の高さは、プラグ・台座集成体が図１の格納位置内に収まるように成形プロセス中に調節される。
【００３１】
図１５及び１６は、カラーの上側区分８０のより詳細な構造を示している。下側カラー区分７４と上側カラー区分８０とは円形リム８２によって分離されている。円形リムは、カラーがプラグ開口７０内に着座されるとプラグ１８に係合する。カラーの上側区分８０は、使用中に台座ハウジング内部に向く成形上側プレート８２を有している。上側プレート８２は、地下からカラー内のシールされた開口を通って台座ハウジングの内部へ延びる種々の長さ及び断面積の導管、ワイヤ、光ファイバケーブル、及びこれに類するものを含有するために、全体的に８４で示された管状スリーブ及び取り付け部材を含んでいる。
【００３２】
図１７は、揺動アーム集成体及び台座ハウジングの種々の構成部分を示す分解された集成体の図である。この図はＯリング８６を含む。Ｏリングは、クランプ２２を使用してカバー１４の底部を組み立て済のプラグ及びカラーに固定するときに、カラーの上側部分８０の周りにエンクロージャカバー１４のベースをシールするためにリム８２上に着座する。
【図１】
2016504633.tif 000003
【図２】
2016504633.tif 000004
【図３】
2016504633.tif 000005
【図４】
2016504633.tif 000006
【図５】
2016504633.tif 000007
【図６】
2016504633.tif 000008
【図７】
2016504633.tif 000009
【図８】
2016504633.tif 000010
【図９】
2016504633.tif 000011
【図１０】
2016504633.tif 000012
【図１１】
2016504633.tif 000013
【図１２】
2016504633.tif 000014
【図１３】
2016504633.tif 000015
【図１４Ａ】
2016504633.tif 000016
【図１４Ｂ】
2016504633.tif 000017
【図１４Ｃ】
2016504633.tif 000018
【図１５】
2016504633.tif 000019
【図１６】
2016504633.tif 000020
【図１７】
2016504633.tif 000021
【国際調査報告】
2016504633.tif 000022
2016504633.tif 000023
2016504633.tif 000024